(57)【特許請求の範囲】
【請求項１】
サウナ対象室の空気を循環する循環送風手段と、空気を加熱する空気加熱手段と、水または温水をノズルにより噴射し空気を加湿する加湿手段と、前記加湿手段で発生した水滴のうち比較的大粒の水滴を回収する気液分離手段と、回収された大粒の水滴を貯水する貯水部と前記循環送風手段により、前記空気加熱手段を通過したのち、前記加湿手段、気液分離手段を経て吹出口よりサウナ対象室に吹き出す略逆Ｌ字形状の通風路とを備え、前記気液分離手段を前記加湿手段の前記ノズルの噴射の方向に、前記ノズルより噴射された水滴が直接前記気液分離手段に当たらずかつ前記水滴が前記気液分離手段を通過する距離を最長にできるように傾けて設置したサウナ装置。
【請求項２】
加湿手段を、略逆Ｌ字形状に形成される通風路の略水平通風路部に設け、貯水部に気液分離手段を設けた請求項１記載のサウナ装置。
【請求項３】
気液分離手段を、加湿手段の方向にノズル噴射角度の１／２度傾けて設けた請求項１または２記載のサウナ装置。
【請求項４】
気液分離手段の固定用のボスを、貯水部下面と通風路上面に複数個設けた請求項１または２記載のサウナ装置。
【請求項５】
気液分離手段の固定用のリブを、通風路側面に設けた請求項１または２記載のサウナ装置。
【請求項６】
貯水部に、気液分離手段を加湿手段の方向に傾けて、かつ貯水部下面より浮かせて設置できる固定板を設けた請求項１または２記載のサウナ装置。
【請求項７】
貯水部に、気液分離手段を加湿手段の方向に傾け、貯水部下面より浮かせて、かつ貯水部の吹出口側壁面との間に隙間ができるように設置できる固定板を設けた請求項１または２記載のサウナ装置。
【請求項８】
固定板と気液分離手段を、一体形状で構成した請求項６または７記載のサウナ装置。    
【請求項９】
回収された大粒の水滴を、気液分離手段の下部に設けられる落下水を貯水する貯水部を介し排水部に導く構成とした請求項１または２記載のサウナ装置。
【請求項１０】
排水部を、加湿部通風路の気流流通路外に設け、貯水部の溢水を検知する溢水検知手段を排水部に設けた請求項９記載のサウナ装置。
【請求項１１】
溢水検知手段を、フロートスイッチとしフロート底面と排水部の接触面に突起を設けた請求項１０記載のサウナ装置。
【発明の詳細な説明】
【技術分野】
【０００１】
本発明は、サウナ対象室を高温、高湿なサウナ空間にするサウナ装置に関する。
【背景技術】
【０００２】
従来、この種のサウナ装置として、浴室を利用するミスト機能付サウナ装置が知られている（例えば、特許文献１参照）。
【０００３】
以下、そのサウナ装置について図１３、図１４を参照しながら説明する。
【０００４】
図に示すように、空気を加熱する加熱手段１０１により加熱された空気を送風する加熱空気送風手段１０２と、加湿手段１０３と、加湿手段１０３により加湿された加湿空気を送風する加湿空気送風手段１０４と、吸込口１０５および吹出口１０６を備え、加熱空気送風手段１０２からの加熱空気と、加湿空気送風手段１０４からの加湿空気を吹出口１０６の手前で合流し、吹出口１０６より加熱加湿空気を吹き出す構成となっている。
【０００５】
また、加湿手段１０３は、水または温水を供給する給水手段１０７と、この給水手段１０７から給水された水または温水を噴射する噴射手段１０８と、この噴射手段１０８により噴射された水または温水を衝突させて破砕する水破砕手段１０９と、この水破砕手段１０９により供給された水滴群を大粒の水滴と微細な水滴に分離し、大粒の水滴を回収する気液分離手段１１０とにより構成している。
【特許文献１】特開２００６−２１２２４６号公報（００３２〜００３５段落、第１、５図）
【発明の開示】
【発明が解決しようとする課題】
【０００６】
このような従来のサウナ装置では、加熱空気送風手段１０２と加湿空気送風手段１０４とに分かれており、部品点数が多く風路も２風路で構造が複雑であった。
【０００７】
また、加湿空気の送風される風路も狭く風路に設置される気液分離手段１１０も小さいため、噴射手段１０８より噴射された大粒水滴の一部が気液分離手段１１０に回収されることなく通過し、吹出口１０６より吹き出される課題があった。また、大粒水滴が吹出口１０６近傍の通風路壁面に付着することにより吹出口１０６より水滴が落下するという課題があった。
【０００８】
本発明は、このような従来の課題を解決するものであり、風路を一風路にして大きくすることにより気液分離手段を大きくし、気液分離手段を加湿手段の方向に傾けて設置することにより、水滴が気液分離手段を通過する距離を長くすることができ、また気液分離手段の下流側近傍で回収された水滴も気液分離手段傾斜面に添って落下することにより吹き出されることなく貯水部に導かれるので、微細な水滴によって水滴感を伴わずにサウナ対象室を加湿することによって、使用者が水滴感を感じずにサウナ対象室内で快適に過ごすことができるとともに、ミストによって使用者が視界をさえぎられることなく、サウナ対象室内で映像や読書を楽しむことのできるサウナ装置を提供することを目的としている。
【課題を解決するための手段】
【０００９】
本発明のサウナ装置は上記目的を達成するために、サウナ対象室の空気を循環する循環送風手段と、空気を加熱する空気加熱手段と、水または温水をノズルにより噴射し空気を加湿する加湿手段と、前記加湿手段で発生した水滴のうち比較的大粒の水滴を回収する気液分離手段と、回収された大粒の水滴を貯水する貯水部と前記循環送風手段により、前記空気加熱手段を通過したのち、前記加湿手段、気液分離手段を経て吹出口よりサウナ対象室に吹き出す略逆Ｌ字形状の通風路とを備え、前記気液分離手段を前記加湿手段の前記ノズルの噴射の方向に、前記ノズルより噴射された水滴が直接前記気液分離手段に当たらずかつ前記水滴が前記気液分離手段を通過する距離を最長にできるように傾けて設置したものである。
【００１０】
この手段により、ノズルより噴射された水滴が気液分離手段を通過する距離を長くすることができ、また気液分離手段の下流側近傍で回収された水滴も気液分離手段傾斜面に添って落下することにより吹き出されることなく貯水部に導かれるので、微細な水滴によって水滴感を伴わずにサウナ対象室を加湿することができ、使用者が水滴感を感じずにサウナ対象室内で快適に過ごすことができるとともに、ノズルより噴射された水滴が直接気液分離手段に当たらずかつ水滴が気液分離手段を通過する距離を最長にできるので、大粒の水滴をより効率良く回収できるサウナ装置が得られる。
【００１１】
また、他の手段は、加湿手段を、略逆Ｌ字形状に形成される通風路の略水平通風路部に設け、貯水部に気液分離手段を設けたものである。
【００１２】
この手段により、高湿度の空気を供給できるサウナ装置が得られる。
【００１３】
また、他の手段は、気液分離手段を加湿手段の方向にノズル噴射角度の１／２度傾けて設けたものである。
【００１４】
この手段により、ノズルより噴射された水滴が直接気液分離手段に当たらずかつ水滴が気液分離手段を通過する距離を最長にできるので、大粒の水滴をより効率良く回収できるサウナ装置が得られる。
【００１５】
また、他の手段は、気液分離手段固定用のボスを貯水部下面と通風路上面に複数個設けたものである。
【００１６】
この手段により、複数個のボスが気液分離手段を突き刺し、上下方向より挟み込むことにより容易に動かないように固定することにより、簡単な構造で気液分離装置と通風路との隙間発生を防止し、隙間から大粒の水滴が直接吹き出すのを防止できるサウナ装置が得られる。
【００１７】
また、他の手段は、気液分離手段固定用のリブを通風路側面に設けたものである。
【００１８】
この手段により、気液分離手段と通風路壁面との隙間をリブで塞ぐことができ、ノズルより噴射された水滴は確実に気液分離手段を通過しするので製造時の組立バラツキに影響されずにより高湿度の空気を供給できるサウナ装置が得られる。
【００１９】
また、他の手段は、貯水部に、気液分離手段を加湿手段の方向に傾けて、かつ貯水部下面より浮かせて設置できる固定板を設けたものである。
【００２０】
この手段により、最小限の貯水容積で効率良く排水でき、回収された排水と気液分離手段を接触させないことにより風通しを良くして気液分離手段、貯水部を乾き易くできるので気液分離手段、貯水部をより衛生的に維持できるサウナ装置が得られる。
【００２１】
また、他の手段は、貯水部に、気液分離手段を加湿手段の方向に傾け、貯水部下面より浮かせて、かつ貯水部の吹出口側壁面との間に隙間ができるように設置できる固定板を設けたものである。
【００２２】
この手段により、大粒の水滴をより確実に回収できるサウナ装置が得られる。
【００２３】
また、他の手段は、固定板と気液分離手段を１体形状で構成したものである。
【００２４】
この手段により、部品交換時、固定板の付け忘れによる不具合を防ぐことができる。また部品交換の手間を省くことができるサウナ装置が得られる。
【００２５】
また、他の手段は、回収された大粒の水滴を、気液分離手段の下部に設けられる落下水を貯水する貯水部を介し排水部に導く構成としたものである。
【００２６】
この手段により、回収された大粒の水滴が通風路内に停滞することなく外部に排水されるのでカビ、菌等が発生し難いサウナ装置が得られる。
【００２７】
また、他の手段は、排水部を加湿部通風路の気流流通路外に設け、貯水部の溢水を検知する溢水検知手段を排水部に設けたものである。
【００２８】
この手段により、装置内からの溢水を精度良く抑制することができるサウナ装置が得られる。
【００２９】
また、他の手段は、溢水検知手段をフロートスイッチとしフロート底面と排水部の接触面に突起を設けたものである。
【００３０】
この手段により、フロート底面と排水部接触面積が小さいことから排水のスケール等による固着リスクが回避でき、確実に貯水部の溢水検知ができるサウナ装置が得られる。
【発明の効果】
【００３１】
本発明によれば、使用者が水滴感を感じずにサウナ対象室内で快適に過ごすことができるサウナ装置を提供できる。
【００３２】
また、より高湿度の空気を供給できるサウナ装置を提供することができる。
【００３３】
また、大粒の水滴をより効率良く回収できるサウナ装置を提供できる。
【００３４】
また、大粒の水滴が直接吹き出すのを防止できるサウナ装置が得られる。
【００３５】
また、製造時の組立バラツキに影響されずにより高湿度の空気を供給できるサウナ装置を提供することができる。
【００３６】
また、最小限の貯水容積で効率良く排水でき、気液分離手段、貯水部をより衛生的に維持できるサウナ装置を提供できる。
【００３７】
また、部品交換時、固定板の付け忘れによる不具合を防ぐことができる。また部品交換の手間を省くことができるサウナ装置を提供できる。
【００３８】
また、回収された大粒の水滴が通風路内に停滞することなく外部に排水されるのでカビ、菌等が発生し難いサウナ装置を提供できる。
【００３９】
また、装置内からの溢水を精度良く抑制することができるサウナ装置が得られる。
【００４０】
また、確実に貯水部の溢水検知ができるサウナ装置を提供できる。
【発明を実施するための最良の形態】
【００４１】
本発明の請求項１記載のサウナ装置は、サウナ対象室の空気を循環する循環送風手段と、空気を加熱する空気加熱手段と、水または温水をノズルにより噴射し空気を加湿する加湿手段と、前記加湿手段で発生した水滴のうち比較的大粒の水滴を回収する気液分離手段と、回収された大粒の水滴を貯水する貯水部と前記循環送風手段により、前記空気加熱手段を通過したのち、前記加湿手段、気液分離手段を経て吹出口よりサウナ対象室に吹き出す略逆Ｌ字形状の通風路とを備え、前記気液分離手段を前記加湿手段の前記ノズルの噴射の方向に、前記ノズルより噴射された水滴が直接前記気液分離手段に当たらずかつ前記水滴が前記気液分離手段を通過する距離を最長にできるように傾けて設置したものであり、気液分離手段を加湿手段の方向に傾けて設置することによりノズルより噴射された水滴が気液分離手段を通過する距離を長くすることができる。また気液分離手段の下流側近傍で回収された水滴も気液分離手段傾斜面に添って落下することにより吹き出されることなく貯水部に導かれることにより微細な水滴によって水滴感を伴わずにサウナ対象室を加湿することができ、使用者が水滴感を感じずにサウナ対象室内で快適に過ごすことができるとともに、ノズルより噴射された水滴が直接気液分離手段に当たらずかつ水滴が気液分離手段を通過する距離を最長にできるので、大粒の水滴をより効率良く回収できるという作用を有する。
【００４２】
また、加湿手段を、略逆Ｌ字形状に形成される通風路の略水平通風路部に設け、貯水部に気液分離手段を設けたものであり、略逆Ｌ字形状に形成される通風路の距離を最短にし、ノズルより噴射された水滴が気液分離手段に到達するまでに通風路壁面に付着する量を低減することより高湿度の空気を供給できるという作用を有する。
【００４３】
また、気液分離手段を加湿手段の方向にノズル噴射角度の１／２度傾けて設けたものであり、ノズルより噴射された水滴が直接気液分離手段に当たらずかつ水滴が気液分離手段を通過する距離を最長にできるので、大粒の水滴をより効率良く回収できるという作用を有する。
【００４４】
また、気液分離手段固定用のボスを貯水部下面と通風路上面に複数個設け、複数個のボスが気液分離手段を突き刺し、上下方向より挟み込むことにより容易に動かないように固定することにより、簡単な構造で気液分離装置と通風路との隙間発生を防止し、隙間から大粒の水滴が直接吹き出すのを防止できるという作用を有する。
【００４５】
また、気液分離手段固定用のリブを通風路側面に設けたものであり、気液分離手段と通風路壁面との隙間をリブで塞ぐことにより、ノズルより噴射された水滴は確実に気液分離手段を通過し大粒の水滴が回収されることにより、製造時の組立バラツキに影響されずにより高湿度の空気を供給できるという作用を有する。
【００４６】
また、貯水部に、気液分離手段を加湿手段の方向に傾けて、かつ貯水部下面より浮かせて設置できる固定板を設けたものであり、貯水部の貯水容積を確保し、回収された排水と気液分離手段を接触させないことにより風通しを良くして気液分離手段、貯水部を乾きやすくすることにより最小限の貯水容積で効率良く排水でき、気液分離手段、貯水部をより衛生的に維持できるという作用を有する。
【００４７】
また、貯水部に、気液分離手段を加湿手段の方向に傾け、貯水部下面より浮かせて、かつ貯水部の吹出口側壁面との間に隙間ができるように設置できる固定板を設けた構成としたものであり、気液分離手段により回収された大粒の水滴は下流側の通風路に戻されることなく確実に貯水部に導かれることにより、大粒の水滴をより確実に回収できるという作用を有する。
【００４８】
また、固定板と気液分離手段を１体形状とした構成としたものであり、１部品で構成されるので、部品交換時、固定板の付け忘れによる不具合を防ぐことができるという作用を有する。
【００４９】
また、回収された大粒の水滴を、気液分離手段の下部に設けられる落下水を貯水する貯水部を介し排水部に導く構成としたものであり、気液分離手段に衝突し回収された大粒の水滴は気液分離手段表面または内部を落下し貯水部に溜まり排水部より器体外に排水されるので、回収された大粒の水滴が通風路内に停滞することなく外部に排水されカビ、菌等が発生し難いという作用を有する。
【００５０】
また、排水部を加湿部通風路の気流流通路外に設け、貯水部の溢水を検知する溢水検知手段を排水部に設けたものであり、溢水検知手段は加湿部循環風路外の気流流通路外の貯水部にあるため、貯水面の波立ちの影響を受けにくく精度の高い水位を検出できるので、装置内からの溢水を精度よく抑制することができるという作用を有する。
【００５１】
また、溢水検知手段をフロートスイッチとしフロート底面と接触する排水部の低面に突起を設けたものであり、フロートスイッチが作動していない時のフロート底面は排水部低面に設けた突起部面のみの接触となるため、フロート底面と排水部接触面積が小さく、排水のスケール等による固着リスクが回避でき、確実に貯水部の溢水検知ができるという作用を有する。
【００５２】
以下、本発明の実施の形態について図面を参照しながら説明する。
【００５３】
（実施の形態１）
図１、図２に示すように、サウナ装置本体１ａはサウナ対象室１の空気を循環する循環送風手段２と、給湯器３ａから送られてきた温水により熱交換をして空気を加熱する空気加熱手段３と、水または温水をノズル４ａにより噴射し空気を加湿する加湿手段４と、前記加湿手段４で発生した水滴のうち比較的大粒の水滴を回収する気液分離手段５と、回収された大粒の水滴を貯水する貯水部６と前記循環送風手段２により、前記空気加熱手段３を通過したのち、前記加湿手段４、気液分離手段５を経て吹出口７よりサウナ対象室１に吹き出す略逆Ｌ字形状の通風路８とを備え、前記気液分離手段５を前記加湿手段４の方向に傾けて設置する。
【００５４】
また、加湿手段４を、略逆Ｌ字形状に形成される通風路８の略水平通風路部９に設け、貯水部６に気液分離手段５を設ける。
【００５５】
また、気液分離手段５を加湿手段４の方向にノズル４ａ噴射角度（α°）の１／２度（１／２α°）傾けて設ける。
【００５６】
上記構成において、気液分離手段５を加湿手段４の方向に傾けて設置することによりノズル４ａより噴射された水滴が循環送風手段２からの送風流によって気液分離手段５を通過する距離を傾けずに設置した場合よりも長くすることができる。また気液分離手段５の下流側近傍で回収された水滴も気液分離手段５の傾斜面に添って落下することにより吹き出されることなく貯水部６に導かれる。
【００５７】
これらのことにより、サウナ対象室１を微細な水滴によって水滴感を伴わずに加湿することができ、使用者が水滴感を感じずにサウナ対象室１内で快適に過ごすことができる。
【００５８】
また、貯水部６に気液分離手段５を設けることにより略逆Ｌ字形状に形成される通風路８の略水平通風路部９の距離を最短にでき、ノズル４ａより噴射された微細水滴が気液分離手段５に到達するまでに通風路８壁面に付着し排水される量を低減することができ、より多くの微細水滴をサウナ対象室１に供給できることにより、より高湿度の空気を供給できることとなる。
【００５９】
また、気液分離手段５を加湿手段４の方向にノズル４ａ噴射角度（α°）の１／２度（１／２α°）傾けて設けることにより、ノズル４ａより噴射された水滴が直接気液分離手段５に当たらずかつ水滴が気液分離手段５を通過する距離を最長にでき、大粒の水滴が気液分離手段５に衝突し回収される可能性が高くなるので大粒の水滴をより効率良く回収できる。
【００６０】
（実施の形態２）
図３、図４に示すように、気液分離手段５の固定用のボス１０を貯水部下面１１と通風路上面１２に複数個設ける。
【００６１】
また、図５、図６に示すように、気液分離手段５の固定用のリブ１３を通風路側面１４に設ける。
【００６２】
また、図７に示すように、貯水部６に、気液分離手段５を加湿手段４の方向に傾けて、かつ貯水部下面１１より浮かせて設置できる固定板１５を設ける。
【００６３】
また、図８、図９に示すように、貯水部６に、気液分離手段５を加湿手段４の方向に傾け、貯水部下面１１より浮かせて、かつ貯水部６の吹出口側壁面１６との間に隙間ができるように設置できる固定板１５ａを設ける。
【００６４】
また、固定板１５ａと気液分離手段５を一体形状で構成する（図示せず）。
【００６５】
上記構成において、通常このようなサウナ装置における気液分離手段５としては図１０に示すような樹脂製の線材をスポンジ状に加工したフィルターを使用しているが、風が流れる通風路内に動かないように固定するのは困難であっが、複数個のボス１０を貯水部下面１１と通風路上面１２に設け、気液分離手段５を突き刺し上下方向より挟み込み容易に動かないように固定する構成としたので、簡単な構造で気液分離装置５と通風路８との隙間発生を防止し、隙間から大粒の水滴が直接吹き出すのを防止できることとなる。
【００６６】
また、気液分離手段５と通風路側面１４との隙間をリブ１３で塞ぐ構成としたので、ノズル４ａより噴射された水滴は確実に気液分離手段５を通過し大粒の水滴が回収されることにより、製造時の組立バラツキに影響されずにより高湿度の空気を供給できることとなる。
【００６７】
また、貯水部６に、気液分離手段５を加湿手段４の方向に傾けて、かつ貯水部下面１１より浮かせて設置できる固定板１５を設けたので、貯水部６の貯水容積を確保し、回収された排水と気液分離手段５を接触させないことにより循環送風手段２による送風の風通しを良くして気液分離手段５、貯水部６を乾き易くすることにより最小限の貯水容積で効率良く排水でき、気液分離手段５、貯水部６をより衛生的に維持できることとなる。
【００６８】
また、貯水部６に、気液分離手段５を加湿手段４の方向に傾け、貯水部下面１１より浮かせて、かつ貯水部６の吹出口側壁面１６との間に隙間ができるように設置できる固定板１５ａを設けた構成としたので、気液分離手段５により回収された大粒の水滴は下流側の吹出口側壁面１６に接触することなく確実に貯水部６に導かれることにより、大粒の水滴をより確実に回収できる。
【００６９】
また、固定板１５または１５ａと気液分離手段５を１体形状とした構成としたので、部品交換時、固定板の付け忘れによる不具合を防ぐことができる。
【００７０】
（実施の形態３）
図１１、図１２に示すように、回収された大粒の水滴を、気液分離手段５の下部に設けられる落下水を貯水する貯水部６を介し排水部１７に導く構成とする。
【００７１】
また、排水部１７を通風路８の気流流通路外に設け、貯水部６の溢水を検知する溢水検知手段１８を排水部１７に設ける。
【００７２】
また、溢水検知手段１８をフロートスイッチとしフロート底面１９と接触する排水部の低面に突起２０を設ける。
【００７３】
上記構成において、気液分離手段５に衝突し回収された大粒の水滴は気液分離手段５表面または内部を落下し貯水部６に溜まり、貯水部底面を排水部に向けて下り勾配になるように構成し排水部１７より器体外に排水される構成としたので、回収された大粒の水滴が通風路内に停滞することなく外部に排水されるのでカビ、菌等が発生し難いこととなる。
【００７４】
また、溢水検知手段１８は通風路８の気流流通路外に設けた排水部１７にあるため、貯水面の波立ちの影響を受けにくく精度の高い水位を検出できるので装置内からの溢水を抑制することができることとなる。
【００７５】
また、フロートスイッチが作動していない時のフロート底面１９は排水部底面２１に設けた突起部上面２２のみの接触となる構成としたので、フロート底面１９と突起部上面２２の接触面積が小さいことから排水のスケール等によりフロート底面１９と突起部上面２２が固着するリスクが回避でき、確実に貯水部６の溢水検知ができることとなる。
【産業上の利用可能性】
【００７６】
本発明にかかるサウナ装置は、暖房装置と加湿装置を一体に設けた空気調和装置、あるいは、温度や湿度の制御が必要な動植物の育成、保存分野にも適用できる。
【図面の簡単な説明】
【００７７】
【図１】本発明の実施の形態１のサウナ装置の内部構成を示す側面構成図
【図２】同サウナ装置をサウナ対象室に設置した状態を示す斜視図
【図３】本発明の実施の形態２のサウナ装置の内部構成を示す側面構成図
【図４】同サウナ装置の内部構成を示す斜視図
【図５】同サウナ装置の内部構成を示す側面構成図
【図６】同サウナ装置の内部構成を示す斜視図
【図７】同サウナ装置の内部構成を示す側面構成図
【図８】同サウナ装置の内部構成を示す側面構成図
【図９】同サウナ装置の内部構成を示す斜視図
【図１０】同サウナ装置の気液分離手段を示す斜視図
【図１１】本発明の実施の形態３のサウナ装置の内部構成を示す正面構成図
【図１２】同サウナ装置の内部構成を示す斜視図
【図１３】従来のサウナ装置を設置した状態を示す側面断面図
【図１４】同サウナ装置の加湿手段の内部構成を示す構成図
【符号の説明】
【００７８】
１      サウナ対象室
２      循環送風手段
３      空気加熱手段
４      加湿手段
４ａ    ノズル
５      気液分離手段
６      貯水部
７      吹出口
８      通風路
９      水平通風路部
１０    ボス
１１    貯水部下面
１２    通風路上面
１３    リブ
１４    通風路側面
１５    固定板
１５ａ  固定板
１６    吹出口側壁面
１７    排水部
１８    溢水検知手段
１９    フロート底面
２０    突起
２１    排水部底面
２２    突起部上面
【図１】
0004835565.tif 000002
【図２】
0004835565.tif 000003
【図３】
0004835565.tif 000004
【図４】
0004835565.tif 000005
【図５】
0004835565.tif 000006
【図６】
0004835565.tif 000007
【図７】
0004835565.tif 000008
【図８】
0004835565.tif 000009
【図９】
0004835565.tif 000010
【図１０】
0004835565.tif 000011
【図１１】
0004835565.tif 000012
【図１２】
0004835565.tif 000013
【図１３】
0004835565.tif 000014
【図１４】
0004835565.tif 000015